(57)【要約】      （修正有）【課題】第１課題は、指気功が目指す人体の内臓器官等（五臓六腑）の働きを活発にして自然治癒力を高め、健康の維持、増進が図れる指気功用手袋を提供すること、第２課題は、操作性が簡便かつ容易で、就寝中はもちろん、昼間のウォーキングや休息中の使用が可能な指気功用手袋を提供すること、第３課題は、構造が簡素で製作容易で安価な指気功用手袋を提供する。【解決手段】左右の手袋本体１、指固定具２及び緊締バンド３を備え、指固定具２は収納部を形成した基盤４と、４本の指Ｆを屈曲して固定する指屈曲板５と、当該指屈曲板５を係止及び離脱するための着脱板６から構成されている。【選択図】図１
0003150682.tif 000002
【実用新案登録請求の範囲】
【請求項１】
指気功に用いられる手袋であって、
左右の手袋本体と、
当該手袋本体の甲皮に取り付けられる親指を除く４本指を固定する指固定具と、
前記手袋本体の手首近傍に抜け止め手段を備えてなる、
ことを特徴とする、指気功用手袋。
【請求項２】
前記指固定具は収納部を形成した基盤と、
親指を除く他の４本の指を屈曲して固定する指屈曲板と、
当該指屈曲板を係止及び離脱するための着脱板からなる、
ことを特徴とする、請求項１に記載する指気功用手袋。
【請求項３】
前記基盤は平面視ほぼ四角形状の表板と裏板とを接合してなり、前記収納部の前後水平部は開口されている、
ことを特徴とする、請求項１〜請求項２の何れかに記載する指気功用手袋。
【請求項４】
前記基盤における裏板の四隅には４本のピンが立設されている、
ことを特徴とする、請求項１〜請求項３の何れかに記載する指気功用手袋。
【請求項５】
前記指屈曲板は水平部と屈曲部からなり、
水平部の両側には外向きの鋸歯状の係止爪が複数形成されている、
ことを特徴とする、請求項１〜請求項２の何れかに記載する指気功用手袋。
【請求項６】
前記指屈曲板における屈曲部は親指を除く４本の指の中手指節関節からほぼ直角に屈曲するように形成されている、
ことを特徴とする、請求項１、請求項２及び請求項５の何れかに記載する指気功用手袋。
【請求項７】
前記着脱板は平面視ほぼ亀甲形状とし、中央部は開口され、前後部には、くの字状及び逆くの字状の指当て部が形成されていると共に、
前記開口の両側には内向きの鋸歯状の係合部が複数形成されている、
ことを特徴とする、請求項１〜請求項２の何れかに記載する指気功用手袋。
【請求項８】
前記着脱板における四隅には上下に貫通した４個の長溝が形成されている、
ことを特徴とする、請求項１、請求項２及び請求項７の何れかに記載する指気功用手袋。
【請求項９】
前記基盤、指屈曲板及び着脱板の素材は硬質プラスチック樹脂である、
ことを特徴とする、請求項１〜請求項８の何れかに記載する指気功用手袋。
【請求項１０】
前記抜け止め手段が面状ファスナー、伸縮性ゴムバンド又は鳩目ホックである、
請求項１に記載する指気功用手袋。
【考案の詳細な説明】
【技術分野】
【０００１】
本考案は、指気功用手袋に関し、より詳しくは中国を中心とする東洋古来の健康法とされる気功の一種である指気功に好適な指気功用手袋に関する。
【背景技術】
【０００２】
気功とは、人体が本来有している生命エネルギー、いわゆる「気」を調整す
ることによって、心身の安定、調和を図り、病気の予防、治癒、健康の回復、知力の強化、不老・長寿等、生命に関する元気を増強する健康法ないし鍛錬法の総称とされている。
【０００３】
気功の種類としては多種類あり、現在は約２０００超の流派が存在するといわれている。気功は元来、医療気功としての「軟気功」と武術気功としての「硬気功」とに大別され、「軟気功」は、「内気功」と「外気功」とに分けられる。「内気功」は、自分自身で行う養生気功で、「外気功」は、内気功で養った気の力（生命エネルギー）を外に出して、他人のために気を与えるのが外気功と称されている。
【０００４】
近年、「内気功」の一種である指気功が注目されている。指気功において、人間の両手の指は、親指及びその他４本の指を根元から折り曲げると人体の健康状態に多大かつ良好な影響を及ぼすとされている。例えば、親指は肺機能を向上させ、人指し指を曲げると、大腸の機能を刺激し、排泄を促進させ、かつ体内の水分調節を補助する働きがある。中指は、心臓を刺激すると共に動悸を抑え、リラックス効果があり、心臓への栄養を管理して強壮作用が働く。薬指は、全身に供給される栄養を効率よくエネルギー（活力）に換えると共に、これを高めてやる気が出る効果を奏する。また小指を曲げると、体内の細胞に栄養と酸素を供給する働きがあることが確認されている。
【０００５】
気功によるエネルギーを高めるための各種の器具類又は方法等が提案されている。例えば、特許文献１（第１頁、図１参照）の「気功器具及び器具類を使用して行う心身調整法」、特許文献２（第１頁、図１参照）の「治療具」、特許文献３（第１頁、図１参照）の「気功マッサージ棒」、特許文献４（第１頁、図１参照）の「医療具」等が開示されている。
【０００６】
しかし、指気功用としての器具類についての提案は、本願出願人が行った先行技術調査によれば皆無であった。またこの種の市販製品も発売されていない現状にある。手袋を利用した特許文献５（第１頁、図１参照）の「手袋の裏地を金色と銀色でデザインした健康手袋」においては、解決しようとする課題を、「色とデザインによる刺激作用を皮膚が感じ取り、体自身の発するバイオフォトンとの間で、相互補完的かつ総合的に全身の気の流れを整調するという健康手袋の提供」とし、その解決手段を「一般の手袋の内面（裏側）に、甲側と、ひら側に、それぞれ金色と銀色でそれぞれデザインし、その異なってデザインされた手袋を着用する」とし、その効果として、慢性病の治癒と健康維持の予防手段であるとしている。
【先行技術文献】
【特許文献】
【０００７】
【特許文献１】特開２００４−１４１５１０号公報
【特許文献２】特開２００１−２６９３８８号公報
【特許文献３】特開２０００−０００２８５号公報
【特許文献４】特開平１１−２７６６０３号公報
【特許文献５】特開平１０−２３４８１５号公報
【考案の概要】
【考案が解決しようとする課題】
【０００８】
本考案が解決しようとする課題は、以下の通りである。
第１の課題は、指気功が目指す人体の内臓器官等（五臓六腑）の働きを活発にして自然治癒力を高め、健康の維持、増進が図れる指気功用手袋を提供することであり、
第２の課題は、操作性が簡便かつ容易で、就寝中はもちろん、昼間のウォーキングや休息中の使用が可能な指気功用手袋を提供することであり、
第３の課題は、サイズが異なる、例えばＳ寸（子供用）、Ｍ寸（成人女性用）、Ｌ寸（成人男性用）等に類別される手袋を利用し、構造が比較的に簡素で、制作が容易で安価な指気功用手袋を提供することにある。
【課題を解決するための手段】
【０００９】
本考案者は、上記従来技術が有する各種問題点に鑑み、鋭意検討を重ね、特に上述した各種サイズの既存の手袋が活用できることに着目して本考案を完成させたものである。
課題を解決するための手段は、本願、実用新案登録請求の範囲の各請求項に記載の考案であり、その具体的な解決手段は、以下の通りである。
＊＊＊＊＊＊＊＊＊＊＊＊＊＊＊＊＊＊＊＊＊＊＊＊＊＊＊＊＊＊＊＊＊＊＊
本願考案における実用新案登録請求の範囲、明細書及び要約書等に記載の用語についての解釈上の疑義を解消すべく、以下に本考案の実用新案登録請求の範囲、明細書等に記載する用語の説明を行うこととする。
〈用語の説明〉
○指気功とは、内気功の一種で、両手の親指、人指し指、中指、薬指及び小指の根元（中手指節関節）を屈曲・保持すれば、人体の各内蔵器官の機能等が高められるというものである。
○手袋本体とは、子供から成人男女が使用するための手袋であり、革、合成皮革、合成樹脂、布地等を素材とする各種サイズの手袋をいう。
○中手指節関節とは、医学用語で手指の根元部分をいう。またＭＰ関節ともいう。
○前部とは、指先に近い部分をいう。
○後部とは、手首に近い部分をいう。
○甲皮とは、手袋の甲部分をいう。
＊＊＊＊＊＊＊＊＊＊＊＊＊＊＊＊＊＊＊＊＊＊＊＊＊＊＊＊＊＊＊＊＊＊＊
【００１０】
上記の課題を解決するための第１の考案は、請求項１に記載する考案であり、
指気功に用いられる手袋であって、
左右の手袋本体と、
当該手袋本体の甲皮に取り付けられる親指を除く４本指を固定する指固定具と、
前記手袋本体の手首近傍に抜け止め手段を備えてなる、
ことを特徴としている。
【００１１】
上記の課題を解決するための第２の考案は、請求項２に記載する考案であり、
前記指固定具は収納部を形成した基盤と、
親指を除く他の４本の指を屈曲して固定する指屈曲板と、
当該指屈曲板を係止及び離脱するための着脱板からなる、
ことを特徴としている。
【００１２】
上記の課題を解決するための第３の考案は、請求項３に記載する考案であり、
前記基盤は平面視ほぼ四角形状の表板と裏板とを接合してなり、前記収納部の前後水平部は開口されている、
ことを特徴としている。
【００１３】
上記の課題を解決するための第４の考案は、請求項４に記載する考案であり、
前記基盤における裏板の四隅には４本のピンが立設されている、
ことを特徴としている。
【００１４】
上記の課題を解決するための第５の考案は、請求項５に記載する考案であり、
前記指屈曲板は水平部と屈曲部からなり、
水平部の両側には外向きの鋸歯状の係止爪が複数形成されている、
ことを特徴としている。
【００１５】
上記の課題を解決するための第６の考案は、請求項６に記載する考案であり、
前記指屈曲板における屈曲部は親指を除く４本の指の中手指節関節からほぼ直角に屈曲するように形成されている、
ことを特徴としている。
【００１６】
上記の課題を解決するための第７の考案は、請求項７に記載する考案であり、
前記着脱板は平面視ほぼ亀甲形状とし、中央部は開口され、前後部には、くの字状及び逆くの字状の指当て部が形成されていると共に、
前記開口の両側には内向きの鋸歯状の係合部が複数形成されている、
ことを特徴としている。
【００１７】
上記の課題を解決するための第８の考案は、請求項８に記載する考案であり、
前記着脱板における四隅には上下に貫通した４個の長溝が形成されている、
ことを特徴としている。
【００１８】
上記の課題を解決するための第９の考案は、請求項９に記載する考案であり、
前記基盤、指屈曲板及び着脱板の素材は硬質プラスチック樹脂である、
ことを特徴としている。
【００１９】
上記の課題を解決するための第１０の考案は、請求項１０に記載する考案であり、
前記抜け止め手段が面状ファスナー、伸縮性ゴムバンド又は鳩目ホックである、
ことを特徴としている。
【考案の効果】
【００２０】
本考案に係る、指気功用手袋は、上記した特徴的な構成になるから、以下のような効果を奏する。すなわち、第１の考案によれば、本考案は、
「指気功に用いられる手袋であって、左右の手袋本体と、当該手袋本体の甲皮に取り付けられる親指を除く４本指を固定する指固定具と、前記手袋本体の手首近傍に抜け止め手段を備えてなる」という、極めて特徴ある構成とされ、
また、第２の考案によれば、
「前記指固定具は収納部を形成した基盤と、親指を除く他の４本の指を屈曲して固定する指屈曲板と、当該指屈曲板を係止及び離脱するための着脱板からなる」という、当業界では想定困難な特徴ある構成とされているので、
指気功が目指す人体の各内臓器官（五臓六腑）の働きを活発にして、自然治癒力を高め、健康の維持、増進が図れる指気功用手袋の提供という、第１の課題を解決することができた。
【００２１】
第３の考案によれば、
「前記基盤は平面視ほぼ四角形状の表板と裏板とを接合してなり、前記収納部の前後水平部は開口されている」
という、特徴ある構成とし、
第４の考案によれば、
「前記基盤における裏板の四隅には４本のピンが立設されている」
という、特徴ある構成とし、
第５の考案によれば、
「前記指屈曲板は水平部と屈曲部からなり、
水平部の両側には外向きの鋸歯状の係止爪が複数形成されている」
という、特徴ある構成とし、
第６の考案によれば、
「前記指屈曲板における屈曲部は親指を除く４本の指の中手指節関節からほぼ直角に屈曲するように形成されている」
という、極めて特徴ある構成とし、
また第７の考案によれば、
「前記着脱板は平面視ほぼ亀甲形状とし、中央部は開口され、前後部には、くの字状及び逆くの字状の指当て部が形成されていると共に、
前記開口の両側には内向きの鋸歯状の係合部が複数形成されている」
という、当業界では想定することが困難な特徴ある構成とし、
さらに第８の考案によれば、
「前記着脱板における四隅には上下に貫通した４個の長溝が形成されている」
という、特徴ある構成としているので、
操作性が簡便かつ容易で、就寝中はもちろん、昼間のウォーキングや休息中の使用が可能な指気功用手袋の提供という、第２の課題を解決することができた。また指屈曲板は、必要に応じて着脱板から離脱することができる。さらに指屈曲板には鋸歯状の係止爪が複数形成され、着脱板には係止爪に係合する鋸歯状の係合部が複数形成されているので、手袋着用者の指の長さ、手巾等に適合する位置で、指屈曲板は係止と離脱を随時行うことができる汎用性を有する。
【００２２】
第９の考案によれば、
「前記基盤、指屈曲板及び着脱板の素材は硬質プラスチック樹脂である」
という、特徴ある構成とし、
第１０の考案によれば、
「前記抜け止め手段が面状ファスナー、伸縮性ゴムバンド又は鳩目ホックである」
という、特徴ある構成としているので、構造が比較的に簡素で、制作が容易で安価な指気功用手袋の提供という、第３の課題を解決することができた。即ち指固定具を構成する主要な部材である基盤、指屈曲板及び着脱板は、硬質プラスチック樹脂を一体成型加工して製作することができ、また手袋本体は、サイズが異なる、Ｓ、Ｍ及びＬ等の既存製品を利用できるので販売価格を安価とすることができる。
【図面の簡単な説明】
【００２３】
【図１】は、本考案に係る、指気功用手袋の使用状態を示す斜視図である。
【図２】は、同上側面図である。
【図３】は、基盤の平面図である。
【図４】は、図３における４−４線断面図である。
【図５】は、図３における５−５線断面図である。
【図６】は、指屈曲板の平面図である。
【図７】は、同上側面図である。
【図８】は、着脱板の平面図である。
【図９】は、図８における９−９線断面図である。
【図１０】は、図８における１０−１０線断面図である。
【図１１】は、使用状態における指固定具の一部切欠平面図である。
【図１２】は、基盤、着脱板内に指屈曲板を挿入・係合した状態の側断面図である。
【図１３】は、指屈曲板を着脱板から離脱させる状態の一部切欠平面図である。
【考案を実施するための形態】
【００２４】
以下、本考案に係る、左手に装着する指気功用手袋（以下、気功用手袋Ｇという）に関する実施形態について、図面を参照しながら説明する。なお右手に装着する気功用手袋Ｇにも、同じ指固定具が取り付けられる。
図１に示すように気功用手袋Ｇは、例えば成人男性用（Ｌ寸）左手の手袋本体１、指固定具２及び左手Ｌが手袋本体１からの抜け止め手段、例えばマジックテープ（登録商標、クラレ）等を貼着した緊締バンド３からなっている。
【００２５】
図１及び図２に示すように、気功用手袋Ｇは、親指を除く他の４本の指Ｆを中手指節関節からほぼ直角に屈曲するものである。これにより指気功による効果が得られる。指固定具２は、手袋本体１の甲皮１ａ部分に接着剤等によって貼着されている。指固定具２は、基盤４、指屈曲板５及び着脱板６から構成されている。
【００２６】
図３〜図５は、基盤４の構造を示している。基盤４は、平面視ほぼ四角形状の表板４ａと裏板４ｂからなり、上下で接合４ｃされて収納部４ｄが形成されている。収納部４ｄには、着脱板６が収納され、さらに指屈曲板５が開口４ｅから挿入され、指屈曲板５及び着脱板６は係合される。裏板４ｂの四隅には４本のピン４ｐが立設されている。
【００２７】
図６及び図７は、指屈曲板５の構造を示している。指屈曲板５は、水平部５ａと屈曲部５ｂからなっている。水平部５ａの両側には、外向きの鋸歯状の係止爪５ｃが複数形成されている。屈曲部５ｂは、水平部５ａから前方（指先側）に延設され、下方に向けて鋭角状に屈曲されている。屈曲部５ｂのほぼ中間で外方に向けて反り返えし部５ｄが形成されている。これにより、親指を除く４本の指Ｆの中手指節関節からほぼ直角に屈曲することができる。
【００２８】
図８〜図１０は、着脱板６の構造を示している。着脱板６は、図８に例示するように、平面視ほぼ亀甲形状とし、中央部は開口６ａされ、前後部には、くの字状及び逆くの字状の指当て部６ｂ、６ｃが形成されている。また開口６ａの両側には内向きの鋸歯状の係合部６ｄが複数形成されている。さらに着脱板６の外方に張り出した四隅には上下に貫通する４個の長溝が形成されている。
【００２９】
次に、気功用手袋Ｇの製作手順について説明する。先ず、例えば成人男性用（Ｌ寸）で緊締バンド３付きの手袋本体１（左右両手）が用意される。次に指固定具２が組立てられる。着脱板６の外方に張り出した四隅に設けられた長溝６ｈは、基盤４の裏板４ｂの四隅に立設したピン４ｐ（図３〜図５、参照）をそれぞれ挿入した後、着脱板６は表板４ａと裏板４ｂ間にサンドイッチ状に接合４ｃされ、表板４ａと裏板４ｂ間にできた収納部４ｄ内に収納される。続いて基盤４の裏板４ｂは、手袋本体１の左手甲皮１ａに接着剤等で固着され、指屈曲板５が着脱板６の前部から挿入、係合される。同様に基盤４の裏板４ｂは、右手用手袋本体（不図示）の右手甲皮（不図示）に接着剤等で固着され、指屈曲板５が着脱板６の前部から挿入、係合されて気功用手袋Ｇの製作は完了する。一対の気功用手袋Ｇは、透明フィルム等の包装袋に収納されて店頭またはインターネット等を介して販売されるものである。
【００３０】
図１１及び図１２は、指屈曲板５を着脱板６に係合した状態を示している。指屈曲板５の水平部５ａは、着脱板６の指当て部６ｂの下面と基盤４の裏板４ｂ間に形成された開口４ｅから収納部４ｄ内に挿入され、指屈曲板５の係止爪５ｃは、着脱板６の係合部６ｄの先端部に係合される。なお指固定具２を構成する、基盤４、指屈曲板５及び着脱板６は、硬質プラスチック樹脂、例えばＦＲＰ（Ｆｉｂｅｒ  Ｒｅｉｎｆｏｒｃｅｄ  Ｐｌａｓｔｉｃｓ＝繊維強化プラスチック）等を公知技術により一体成型加工して製作することができ、また手袋本体１は、各種サイズが異なるＳ寸（子供用）、Ｍ寸（成人女性用）、Ｌ寸（成人男性用）等の既存製品を利用することができる。
【００３１】
図１３は、指屈曲板５が着脱板６から離脱する状態を示している。何かの事情、例えば手袋本体１を装着解除した状態での手作業等を行うとき、まず指当て部６ｂをＰ方向に押圧すれば、着脱板６の長溝６ｈが、裏板４ｂの四隅に設けた４本のピン４ｐに沿って外方にスライドし、指屈曲板５の係止爪５ｃは、着脱板６の係合部６ｄの先端部から離脱するので、屈曲部５ｂをＲ方向に引き出すことができる。
【符号の説明】
【００３２】
Ｇ                気功用手袋
１                手袋本体
１ａ              甲皮
２                指固定具
３                緊締バンド
４                基盤
４ａ              表板
４ｂ              裏板
４ｃ              接合部
４ｄ              収納部
４ｅ              開口
４ｐ              ピン
５                指屈曲板
５ａ              水平部
５ｂ              屈曲部
５ｃ              係止爪
５ｄ              反り返し部
６                着脱板
６ａ              開口
６ｂ、６ｃ        指当て部
６ｄ              係合部
６ｈ              長溝
【図１】
0003150682.tif 000003
【図２】
0003150682.tif 000004
【図３】
0003150682.tif 000005
【図４】
0003150682.tif 000006
【図５】
0003150682.tif 000007
【図６】
0003150682.tif 000008
【図７】
0003150682.tif 000009
【図８】
0003150682.tif 000010
【図９】
0003150682.tif 000011
【図１０】
0003150682.tif 000012
【図１１】
0003150682.tif 000013
【図１２】
0003150682.tif 000014
【図１３】
0003150682.tif 000015